(57)【要約】【課題】  乾燥度を測定するためのセンサを設置することなく、洗濯物を正確に乾燥すると共に電力消耗を減少できる洗濯機の乾燥方法及びその装置を提供する。【解決手段】  本発明による洗濯機の乾燥方法は、洗濯機の乾燥モード時に、洗濯機に設置されたヒータにより洗濯機の洗濯物を乾燥する段階（Ｓ１２）と、ヒータの発熱量の減少率を検出する段階（Ｓ１６）と、検出された減少率が予め設定された基準減少率に到達する時にヒータに印加される電源を遮断する段階（Ｓ２０）と、を有する。【選択図】      図３
2005177478.tif 000002
【特許請求の範囲】
【請求項１】
洗濯機の乾燥モード時に、前記洗濯機に設置されたヒータにより該洗濯機内の洗濯物を乾燥する段階と、
前記ヒータの発熱量の減少率を検出する段階と、
前記検出された減少率が予め設定された基準減少率に到達するときに前記ヒータに印加される電源を遮断する段階と、
を有することを特徴とする洗濯機の乾燥方法。
【請求項２】
前記洗濯物を乾燥する段階は、
前記洗濯機のドラムの内部温度が予め設定された温度になるように、前記ヒータに印加される電圧の位相を制御することで、前記洗濯物を乾燥することを特徴とする請求項１に記載の洗濯機の乾燥方法。
【請求項３】
前記予め設定された基準減少率は、
前記洗濯物が乾燥した状態のときのヒータの発熱量に対応することを特徴とする請求項１に記載の洗濯機の乾燥方法。
【請求項４】
前記予め設定された基準減少率は、
布量に応じた洗濯物の乾燥が終了したときのヒータの発熱量に対応することを特徴とする請求項１に記載の洗濯機の乾燥方法。
【請求項５】
洗濯機のモードが乾燥モードに転換される時に、前記洗濯機内部の温度センサにより温度を検出する段階と、
前記検出された温度に基づいて、前記洗濯機のヒータにより該洗濯機の内部温度を予め設定された温度に維持する段階と、
前記ヒータの発熱量の減少率を検出する段階と、
前記検出された減少率が予め設定された基準減少率以上のとき、前記洗濯物が目標乾燥率に到達したと判断して、前記ヒータに印加される電源を遮断する段階と、
を有することを特徴とする洗濯機の乾燥方法。
【請求項６】
前記ヒータに印加される電源を遮断する段階は、
予め設定された時間の間で前記ヒータの発熱量の減少率が増加し、該増加した減少率が前記予め設定された基準減少率に到達する時に、前記ヒータに印加される電源を遮断することを特徴とする請求項５に記載の洗濯機の乾燥方法。
【請求項７】
前記ヒータに印加される電源を遮断する段階は、
前記ヒータの発熱量が減少する時点から該ヒータの運転時間を測定し、該測定された運転時間が予め設定された時間を経過し、前記予め設定された時間の間で前記ヒータの発熱量の減少率が前記予め設定された基準減少率に到達する時に、前記ヒータに印加される電源を遮断することを特徴とする請求項５に記載の洗濯機の乾燥方法。
【請求項８】
前記予め設定された基準減少率は、
布量に応じた洗濯物の乾燥が終了した時のヒータの発熱量に対応することを特徴とする請求項５に記載の洗濯機の乾燥方法。
【請求項９】
前記ヒータにより前記洗濯機の内部温度を予め設定された温度に維持する段階は、
前記ヒータに印加される電圧の位相を制御して該ヒータの発熱量を制御することで、前記洗濯機の内部温度を前記予め設定された温度に維持することを特徴とする請求項５に記載の洗濯機の乾燥方法。
【請求項１０】
洗濯機に設置されたヒータの発熱量の減少率を検出する減少率検出部と、
前記洗濯機に設置された温度センサにより検出された温度に基づいて、前記洗濯機の内部温度が予め設定された温度になるように前記ヒータの発熱量を制御し、該発熱量の減少率が予め設定された基準減少率に到達する時に前記ヒータに印加される電源を遮断する制御部と、
を有して構成されることを特徴とする洗濯機の乾燥装置。
【請求項１１】
前記ヒータの発熱量が減少する時点から該ヒータの運転時間を測定する運転時間算出部を更に有し、前記制御部は、前記測定された運転時間が予め設定された時間を経過し、該予め設定された時間の間で前記ヒータの発熱量の減少率が前記予め設定された基準減少率に到達する時に、前記ヒータに印加される電源を遮断することを特徴とする請求項１０に記載の洗濯機の乾燥装置。
【請求項１２】
前記予め設定された基準減少率は、
布量に応じた洗濯物の乾燥が終了した時のヒータの発熱量に対応することを特徴とする請求項１０に記載の洗濯機の乾燥装置。
【請求項１３】
前記制御部は、
前記ヒータに印加される電圧の位相を制御することで、該ヒータの発熱量を制御することを特徴とする請求項１０に記載の洗濯機の乾燥装置。
【請求項１４】
前記制御部は、
前記ヒータに供給される電圧の位相を制御することで、前記洗濯機のドラムの内部温度を前記予め設定された温度に維持することを特徴とする請求項１０に記載の洗濯機の乾燥装置。
【請求項１５】
前記制御部は、
前記ヒータをオン/オフ制御することなく、前記ヒータに印加される電圧の所定区間を逆位相で相殺させることで、該ヒータに供給される電圧の位相を制御することを特徴とする請求項１０に記載の洗濯機の乾燥装置。
【請求項１６】
洗濯機の熱発生部の発熱量の減少率を検出する検出部と、
前記洗濯機の内部温度が予め設定された温度になるように前記発熱量を制御し、該発熱量の減少率が予め設定された基準減少率に到達する時に前記熱発生部に印加される電源を遮断する制御部と、
を有して構成されることを特徴とする洗濯機の乾燥装置。
【請求項１７】
洗濯機の洗濯物を乾燥するとき、該洗濯機の熱発生部の発熱量の減少率を検出する段階と、
前記検出された減少率が予め設定された基準減少率に到達する時に前記熱発生部に印加される電源を遮断する段階と、
を有することを特徴とする洗濯機の乾燥方法。
【発明の詳細な説明】
【技術分野】
【０００１】
本発明は、洗濯機に関するもので、詳しくは、洗濯機の乾燥方法及びその装置に関するものである。
【背景技術】
【０００２】
最近、洗濯機は、洗濯過程、すすぎ過程及び脱水過程だけでなく乾燥過程も行って洗濯物を洗濯するようになっており、このような洗濯機は、洗濯方式によって、パルセーター方式、攪拌方式及びドラム方式などに区分される。
【０００３】
以下、従来のドラム洗濯機を図６に基づいて説明する。
図６は、従来のドラム洗濯機の断面図であり、図示されたように、従来のドラム洗濯機は、内部に収容空間が形成されたケーシング１３と、該ケーシング１３の内部に設置されて洗濯水を収容するタブ５と、該タブ５の内部に回転自在に配設されたドラム１７と、から構成されている。
【０００４】
以下、このような従来のドラム洗濯機の構成を詳しく説明する。
即ち、前記ケーシング１３の前面に、洗濯物を収納及び取り出すためのドア１が設置され、前記ケーシング１３の内部には、該ケーシング１３の前後方向に沿ってタブ５が配設される。且つ、該タブ５の上方側及び下方側には、該タブ５を緩衝支持する支持バネ７及びダンパー１６がそれぞれ係合している。且つ、前記タブ５の前面上方側には、洗剤を供給するための洗剤供給部４が設置され、該洗剤供給部４には、洗濯水を供給するための給水管９が連結される。
【０００５】
また、前記タブ５の後面には、前記ドラム１７を回転させるためのドラム駆動モータ１２が設置され、前記タブ５の底部には、配水ポンプ１４が備えられた配水管１５が設置される。且つ、前記タブ５の後方底部には、該タブ５の空気を引き出すことができるように凝縮ダクト１１の一方端が相互に連通するように連結され、該凝縮ダクト１１の他方側は上方に延在している。
【０００６】
また、前記凝縮ダクト１１には、内部に凝縮水を供給するための給水管１０が設置され、前記凝縮ダクト１１の上方端には、前記タブ５内部の空気を引き出して循環させる送風器８が設置される。且つ、該送風器８の流出側には、前記凝縮ダクト１１を経由した空気が前記タブ５の内部に循環できるように循環ダクト３の一方端が連結され、該循環ダクト３の他方端は前記タブ５の前面上部領域に連通している。
【０００７】
また、前記循環ダクト３の内部には、流動する空気を加熱するためのヒータ６が設置され、前記循環ダクト３の下流領域には、空気の温度を検出するための温度センサ２が設置される。
【０００８】
一方、このような従来のドラム洗濯機には、乾燥過程を行うときに乾燥時間を設定できるようにタイマー(図示せず)が設置されることで、乾燥過程の際、使用者が主観的に前記タイマーを調整して乾燥時間を設定し、該設定された時間の間の乾燥過程が行われる。
【発明の開示】
【発明が解決しようとする課題】
【０００９】
然るに、このような従来のドラム洗濯機においては、乾燥時間が相対的に短く設定される場合は、洗濯物が十分に乾燥しないし、必要以上に乾燥時間が長く設定される場合は、全般的に洗濯時間が長引いて電力の浪費が発生するという問題点があった。
【００１０】
このような問題点を解決するために、従来の他の洗濯機においては、洗濯物の乾燥度を測定するための乾燥度センサ(図示せず)を備えるが、該乾燥度センサの設置により洗濯機の製造費用が上昇するという不都合な点があった。且つ、前記乾燥度センサは、ドラム１７の内部に投入された洗濯物の量が少ない場合、洗濯物の乾燥度を正確に検出し得ないという不都合な点があった。
【００１１】
その他の従来の洗濯機については、米国特許登録番号第６,６１５,６１９号及び同第６,６１２,１３８号の明細書にも記載されている。
【００１２】
本発明は、このような従来の課題に鑑みてなされたもので、乾燥度を測定するためのセンサを設置することなく、洗濯物を正確に乾燥すると共に電力消耗を減少できる洗濯機の乾燥方法及びその装置を提供することを目的とする。
【課題を解決するための手段】
【００１３】
このような目的を達成するために、本発明に係る洗濯機の乾燥方法は、洗濯機の乾燥モード時において、前記洗濯機に設置されたヒータにより該洗濯機内の洗濯物を乾燥する段階と、前記ヒータの発熱量の減少率を検出する段階と、前記検出された減少率が予め設定された基準減少率に到達するときに前記ヒータに印加される電源を遮断する段階と、を有することを特徴とする。
【００１４】
また、本発明に係る洗濯機の乾燥方法は、洗濯機のモードが乾燥モードに転換される時に、前記洗濯機内部の温度センサにより温度を検出する段階と、前記検出された温度に基づいて、前記ヒータにより前記洗濯機の内部温度を予め設定された温度に維持する段階と、前記ヒータの発熱量の減少率を検出する段階と、前記検出された減少率が予め設定された基準減少率以上のとき、前記洗濯物が目標乾燥率に到達したと判断して、前記ヒータに印加される電源を遮断する段階と、を有することを特徴とする。
【００１５】
そして、本発明に係る洗濯機の乾燥装置は、洗濯機に設置されたヒータの発熱量の減少率を検出する減少率検出部と、前記洗濯機に設置された温度センサにより検出された温度に基づいて、前記洗濯機の内部温度が予め設定された温度になるように前記ヒータの発熱量を制御し、該発熱量の減少率が予め設定された基準減少率に到達するときに前記ヒータに印加される電源を遮断する制御部と、を有して構成されることを特徴とする。
【００１６】
また、本発明に係る洗濯機の乾燥装置は、洗濯機の熱発生部の発熱量の減少率を検出する検出部と、前記洗濯機の内部温度が予め設定された温度になるように前記発熱量を制御し、該発熱量の減少率が予め設定された基準減少率に到達するときに前記熱発生部に印加される電源を遮断する制御部と、を有して構成されることを特徴とする。
【００１７】
そして、本発明に係る洗濯機の乾燥方法は、洗濯機の洗濯物を乾燥する時において、該洗濯機の熱発生部の発熱量の減少率を検出する段階と、前記検出された減少率が予め設定された基準減少率に到達するときに前記熱発生部に印加される電源を遮断する段階と、を有することを特徴とする。
【発明の効果】
【００１８】
本発明に係る洗濯機の乾燥方法及びその装置においては、洗濯機のモードが乾燥モードに転換される時に、ヒータの発熱量の減少率を検出し、該検出されたヒータの発熱量の減少率が予め設定された基準減少率に到達するときにヒータに印加される電源を遮断することで、乾燥度感知センサのようなセンサを設置せずにも洗濯物を正確に乾燥できるという効果がある。
【００１９】
また、ヒータをオン/オフ制御することなく、ヒータに印加される電圧の位相を制御することで、電力消耗を減少できるという効果がある。
【００２０】
また、ヒータに印加される電圧の位相を制御して該ヒータの発熱量を制御することで、ヒータをオン/オフ制御する方法よりも洗濯物の乾燥時間を短縮できるという効果がある。
【００２１】
また、ヒータに印加される電圧の位相を制御してドラムの内部温度を一定に維持することで、洗濯物が過熱されるとか又は乾燥効率が減少する現象を防止できるという効果がある。
【発明を実施するための最良の形態】
【００２２】
以下、洗濯機の洗濯物を乾燥するとき、該洗濯機の熱発生部の発熱量の減少率を検出し、該検出された減少率が予め設定された基準減少率に到達するときに前記熱発生部に印加される電源を遮断することで、洗濯物を正確に乾燥すると共に電力消耗を減少できる、本発明に係る洗濯機の乾燥方法及びその装置の好ましい実施形態を、図１〜図５に基づいて説明する。且つ、従来の洗濯機の構成と同様な構成に対しては同一符号を引用して説明する。
【００２３】
図１は、本発明に係る洗濯機の乾燥装置のブロック図であり、図示されたように、本発明に係る洗濯機の乾燥装置は、洗濯機のモードが乾燥モードに転換され、該洗濯機のヒータ６により洗濯物を乾燥するとき、該ヒータ６の発熱量の減少率Qiを検出する減少率検出部１０１と、前記洗濯機のドラム１７内部に設置された温度センサ２により検出された温度に基づいて、前記ドラム１７の内部温度が予め設定された温度C１(例えば、１２０℃)になるように前記ヒータ６の発熱量を制御し、前記減少率検出部１０１により検出された減少率Qiが予め設定された基準減少率Qset(例えば、ヒータの最大発熱量(１００%)の５０%以下)に到達するときに前記ヒータ６に印加される電源を遮断する制御部１０３と、から構成される。ここで、本発明は、前記ヒータ６だけでなく、多様な形態の熱発生部を使用することができる。
【００２４】
また、前記制御部１０３は、洗濯機のモードが乾燥モードに転換されると、ヒータの最大発熱量で濡れた洗濯物を乾燥させ、洗濯物の乾燥が終了する前まで予め設定された温度(例えば、１２０℃)を維持するためにヒータ６の発熱量を制御する。このとき、洗濯物が次第に乾燥するほど(乾燥度が増加するほど)ヒータの発熱量は減少し、洗濯物の乾燥が終了するとき洗濯物の水分は殆ど除去されるため、ヒータ６の発熱量も急激に減少する。即ち、洗濯物の水分が殆ど除去されると水分により奪われる熱が殆どなくなるため、ヒータ６の少ない発熱量(例えば、総発熱量の５０%以下)でも予め設定された温度(例えば、１２０℃)を維持することができる。ここで、前記ヒータ６の発熱量の減少率が増加すると、洗濯物の乾燥度/乾燥率も増加する。
【００２５】
従って、本発明は、ヒータ６の発熱量の減少率を検出し、該検出された減少率が予め設定された基準減少率に到達すると前記ヒータ６に印加される電源を遮断することで、洗濯物を正確に乾燥することができる。ここで、前記予め設定された基準減少率は、実験を通して得られた値で、洗濯物が適正に乾燥した状態(例えば、乾燥率９０%以上)のときの前記ヒータ６の発熱量(例えば、ヒータの最大発熱量(１００%)の５０%以下)に対応する。
【００２６】
また、前記制御部１０３は、制御プログラムが内蔵されたマイクロコンピュータなどの形態で実現することもできる。且つ、前記制御部１０３は、循環ダクト３に沿ってタブ５の内部を循環する空気が予め設定された温度(例えば、１２０℃)を維持するように、前記ヒータ６をオン/オフ制御することなく、前記ヒータ６に印加される電圧の位相を制御することで該ヒータ６の発熱量を制御する。
【００２７】
以下、このように構成された本発明に係る洗濯機の乾燥装置の動作を図２に基づいて説明する。
【００２８】
図２は、本発明に係る洗濯機の乾燥方法を説明するための、ヒータの発熱量、並びに洗濯機のドラムの内部温度及び除湿量の相関関係を示したグラフであり、図示されたように、前記ヒータ６は、乾燥動作を行うとき、前記ドラム１７の内部温度が前記予め設定された温度C１になるように、予熱区間において最大の発熱量で動作する。且つ、前記ヒータ６の発熱量は、前記凝縮ダクト１１の内部に凝縮水が提供される凝縮時点で一次で急激に減少し、前記ヒータ６は、前記減少した発熱量が所定時間の間において一定に維持される。
【００２９】
その後、前記乾燥過程が進行されて洗濯物が目標乾燥率(例えば、９０%以上)に到達すると、前記ヒータ６の発熱量は前記予め設定された基準減少率に到達する。ここで、前記制御部１０３は、凝縮時点以後、予め設定された時間の間で前記ヒータ６の発熱量の減少率が予め設定された基準減少率に到達するか、またはそれ以上減少すると、洗濯物が目標乾燥率Qcに到達したと判断して、前記ヒータ６に印加される電源を遮断することで洗濯機の乾燥モードを終了する。
【００３０】
一方、前記洗濯機に運転時間測定部１０２を更に設置する場合、該運転時間測定部１０２は、前記ヒータ６の発熱量が減少する時点から該ヒータ６の運転時間を測定し、該測定された運転時間を前記制御部１０３に知らせる。このとき、前記制御部１０３は、前記測定された運転時間が前記予め設定された時間を経過し、該予め設定された時間の間で前記ヒータ６の発熱量の減少率が前記予め設定された基準減少率に到達すると、該ヒータ６に印加される電源を遮断することで洗濯機の乾燥モードを終了する。即ち、前記運転時間測定部１０２により前記ヒータ６の発熱量が減少する時点から該ヒータ６の運転時間を測定することで、該ヒータ６の発熱量の減少率を正確に検出することができる。
【００３１】
また、前記洗濯機に布量検出部１００を更に設置する場合、該布量検出部１００は、前記ドラム１７内部の布量を検出する。このとき、前記予め設定された基準減少率は、前記検出された布量によって予め設定され、前記制御部１０３は、前記ヒータ６の発熱量の減少率が前記検出された布量による予め設定された基準減少率Qsetに到達すると、前記ヒータ６に印加される電源を遮断することで洗濯機の乾燥モードを終了する。即ち、前記布量検出部１００により、布量による洗濯物の乾燥を細密に行うことができる。
【００３２】
ここで、本発明は、前記運転時間測定部１０２及び前記布量検出部１００を使用せずにも本発明の効果を奏することができるが、それら運転時間測定部１０２及び布量検出部１００を使用することで本発明の効果を極大化することができる。
【００３３】
以下、本発明に係る洗濯機の乾燥装置の動作を図３に基づいてより詳しく説明する。
図３は、本発明に係る洗濯機の乾燥方法を示したフローチャートであり、図示されたように、まず、前記制御部１０３は、洗濯機のモードが乾燥モードに転換されると(ステップS１１)、前記ドラム１７の内部温度が前記予め設定された温度に迅速に到達するように前記ヒータ６を動作させる。即ち、前記制御部１０３は、前記ヒータ６の発熱量が最大になるように該ヒータ６を制御する(ステップS１２)。
【００３４】
その後、前記制御部１０３は、前記温度センサ２から周期的に伝送されるドラム１７の内部温度を検出し(ステップS１３)、前記布量検出部１００から伝送される布量を検出する(ステップS１５)。ここで、前記布量を検出する方法は従来の技術と同様であるので、これに関する詳細な説明は省略する。
【００３５】
その後、前記制御部１０３は、前記温度センサ２により検出された温度に基づいて、前記ドラム１７の内部温度が前記予め設定された温度を維持するように、電圧位相制御方法を通して前記ヒータ６の発熱量を制御する(ステップS１４)。
【００３６】
次いで、前記減少率検出部１０１は、前記ドラム１７の内部温度が前記予め設定された温度まで近接上昇して凝縮ダクト１１の内部に凝縮水が供給される凝縮時点になると、前記制御部１０３の制御信号により前記ヒータ６の発熱量の減少率Qiを周期的に検出し、該検出された発熱量の減少率Qiを前記制御部１０３に出力する(ステップS１６)。このとき、前記運転時間測定部１０２は、前記制御部１０３の制御の基で前記ヒータ６の発熱量が減少する時点から該ヒータ６の運転時間Tiを測定する(ステップS１７)。
【００３７】
次いで、前記制御部１０３は、前記検出された発熱量の減少率Qiが布量によって予め設定された基準減少率Qsetと同一であるか、またはそれ以上のとき、前記ヒータ６に印加される電源を遮断する。例えば、前記制御部１０３は、前記測定された運転時間Tiが前記予め設定された時間Tsetと一致するか、または経過すると(ステップS１８)、前記予め設定された時間Tsetの間で又はその後に、前記ヒータ６の発熱量の減少率が増加して、該増加した減少率Qiが前記予め設定された基準減少率Qsetに到達したか否かを判断し(ステップS１９)、前記ヒータ６の発熱量の減少率が前記予め設定された基準減少率Qsetに到達するか、またはそれ以上のとき、前記ヒータ６に印加される電源を遮断する。ここで、前記制御部１０３は、前記ヒータ６の発熱量の減少率が前記予め設定された時間Tsetの間で増加し、前記予め設定された基準減少率Qset以上のとき、洗濯物が目標乾燥率に到達したと判断して、前記ヒータ６に印加される電源を遮断する(ステップS２０)。
【００３８】
その後、前記制御部１０３は、前記ヒータ６に印加される電源を遮断した後、前記ドラム１７を所定時間の間回転させてから該ドラム１７の駆動を中止させることで洗濯機の乾燥モードを終了する。
【００３９】
以下、前記洗濯機のドラム１７の内部温度を前記予め設定された温度に維持するために、前記ヒータ６に供給される電圧の位相を制御する方法について、図４及び図５に基づいて説明する。
【００４０】
図４は、本発明に係る洗濯機の乾燥装置に設置されたヒータに供給される電圧の位相を制御する方法の第１実施例を示したグラフで、図示されたように、前記ヒータ６により前記ドラム１７の内部に供給される熱風の温度が前記予め設定された温度に到達したと判断されると、前記制御部１０３は、前記ヒータ６に供給される正弦波を有する電圧の位相を制御する。即ち、前記ヒータ６に供給される電圧の所定区間の位相と逆になる位相を印加して前記所定区間の位相を相殺させることで、前記ヒータ６に供給される電圧の位相を制御する。例えば、正弦波の一周期毎に所定区間H１に逆位相を印加することで、前記ヒータ６に供給される電圧の位相を制御する。
【００４１】
図５は、本発明に係る洗濯機の乾燥装置に設置されたヒータに供給される電圧の位相を制御する方法の第２実施例を示したグラフで、図示されたように、正弦波の二周期中、半周期区間H２に逆位相を印加して、前記ヒータ６に供給される電圧の位相を制御する。または、正弦波の整数倍の周期中、所定周期区間に逆位相を印加する。即ち、前記電圧の位相制御方法は多様な方法で実施することができる。
【００４２】
従って、前記乾燥過程の進行中に、前記ドラム１７の内部温度が前記予め設定された温度まで上昇したと判断されると、図４または図５に示したように、前記ヒータ６に逆位相により位相制御された電圧を印加して、前記ドラム１７の内部温度が前記予め設定された温度を維持するように該ヒータ１７を制御する。例えば、最大の発熱量で前記ヒータ６を制御するときは、該ヒータ６に印加される電圧の位相を相殺させずにそのまま該ヒータ６に印加し、前記発熱量を減少させるときは、前記電圧の所定区間の位相を逆位相で相殺させることで、前記ヒータ６の発熱量の減少幅を制御する。
【図面の簡単な説明】
【００４３】
【図１】本発明に係る洗濯機の乾燥装置のブロック図である。
【図２】本発明に係る洗濯機の乾燥方法を説明するための、ヒータの発熱量、並びに洗濯機のドラムの内部温度及び除湿量の相関関係を示したグラフである。
【図３】本発明に係る洗濯機の乾燥方法を示したフローチャートである。
【図４】本発明に係る洗濯機の乾燥装置に設置されたヒータに供給される電圧の位相を制御する方法の第１実施例を示したグラフである。
【図５】本発明に係る洗濯機の乾燥装置に設置されたヒータに供給される電圧の位相を制御する方法の第２実施例を示したグラフである。
【図６】従来のドラム洗濯機の断面図である。
【符号の説明】
【００４４】
２    温度センサ
６    ヒータ
１００    布量検出部
１０１    減少率検出部
１０２    運転時間測定部
１０３    制御部
【図１】
2005177478.tif 000003
【図２】
2005177478.tif 000004
【図３】
2005177478.tif 000005
【図４】
2005177478.tif 000006
【図５】
2005177478.tif 000007
【図６】
2005177478.tif 000008